(57)【要約】【課題】ゲートから離れた場所に出向くことなく領収書等の証明書を手にすることができる入場管理ゲート機を提供する。【解決手段】入場管理ゲート機１０は、入場する管理対象者Ｍが通過する通路Ｗに沿って設けられる筐体１１と、筐体１１の通路Ｗ側に開閉自在に設けられた扉５１とを備える。筐体１１は、管理対象者Ｍがかざした無線情報記録媒体Ｃに関連づけられた管理対象者Ｍの入場に関する情報を読み書きする入場用読み取り書き込み部１２と、入場用読み取り書き込み部１２で読み取った管理対象者Ｍの入場に関する情報をシートＳに印字して証明書Ｓｃを作成する印字部１３と、証明書Ｓｃについて所定の処理が行われたときに扉５１を開く制御部１６とを有する。また、筐体１１には、証明書Ｓｃを排出する排出口１１ｄが形成されている。而して、ゲート１０で認証を受ける際に証明書Ｓｃを受領することが可能になる。【選択図】図１
2012118864.tif 000002
【特許請求の範囲】
【請求項１】
入場する管理対象者が通過する通路に沿って設けられる筐体と；
前記筐体の前記通路側に開閉自在に設けられた扉とを備え；
前記筐体は、前記管理対象者がかざした無線情報記録媒体に関連づけられた前記管理対象者の入場に関する情報を読み書きする入場用読み取り書き込み部と、
前記入場用読み取り書き込み部で読み取った前記管理対象者の入場に関する情報をシートに印字して証明書を作成する印字部と、
前記証明書について所定の処理が行われたときに前記扉を開く制御部と、
を有すると共に、前記証明書を排出する排出口が形成された；
入場管理ゲート機。
【請求項２】
前記筐体は、前記証明書が前記排出口から抜き取られたことを検知する入場側抜き取り検知部を有し；
前記制御部は、前記所定の処理として前記証明書が抜き取られたことを前記入場側抜き取り検知部が検知したときに、前記扉を開くように構成された；
請求項１に記載の入場管理ゲート機。
【請求項３】
前記筐体は、前記証明書の発行の要否を選択可能な発券選択部を有し；
前記制御部は、前記所定の処理として前記発券選択部から前記証明書の発行の要否が通知されたときに、前記扉を開くように構成された； 
請求項１又は請求項２に記載の入場管理ゲート機。
【請求項４】
前記制御部は、前の管理対象者が前記証明書を抜き取った後、前記シートにあらかじめ決められた項目を印字し、後の管理対象者の入場を待機するように前記印字部を制御する；
請求項１乃至請求項３のいずれか１項に記載の入場管理ゲート機。
【請求項５】
前記筐体は、前記入場用読み取り書き込み部に前記無線情報記録媒体をかざすと、前記管理対象者に操作に関する案内を知らせる案内部を有する；
請求項１乃至請求項４のいずれか１項に記載の入場管理ゲート機。
【請求項６】
前記筐体は、退場側に、前記無線情報記録媒体をかざすと退場を認証する退場用読み取り書き込み部と、
前記退場用読み取り書き込み部が退場を認証した後に、前記扉を開く退場側制御部とを有する；
請求項１乃至請求項５のいずれか１項に記載の入場管理ゲート機。
【請求項７】
前記筐体は、退場側に、証明書を発行して前記筐体外に排出する退場側排出口が形成されると共に、前記退場側排出口から排出される証明書の抜き取りを検知する退場側抜き取り検知部を有し；
退場側制御部が、前記退場側抜き取り検知部で前記証明書の抜き取りを検知したことにより、前記扉を開くように構成された；
請求項６に記載の入場管理ゲート機。
【発明の詳細な説明】
【技術分野】
【０００１】
本発明は入場管理ゲート機に関し、特にゲートから離れた場所に出向くことなく領収書等の証明書を手にすることができる入場管理ゲート機に関する。
【背景技術】
【０００２】
都市部のほとんどの鉄道の駅の改札口には、自動改札機が設置されている。自動改札機が設置されている駅の改札内には、乗り越しの精算を行う精算機が設置されていることが多い。精算機は、旅客が投入した運賃額を記載した領収書を発行することができる（例えば、特許文献１参照。）。
【先行技術文献】
【特許文献】
【０００３】
【特許文献１】特許第２５９６８２３号公報（第２頁第３欄）
【発明の概要】
【発明が解決しようとする課題】
【０００４】
近年の技術の進歩により、自動改札機等の入場管理ゲートにおける入場の認証に、無線情報記録媒体（いわゆる非接触型ＩＣカード）が利用されるようになってきた。無線情報記録媒体が用いられる自動改札機では、乗り越しの精算も、精算機に出向かずに自動改札機で行うことが可能である。しかしながら、自動改札機で精算を行った場合は領収書を受け取ることができず、領収書が必要な場合は精算機あるいは駅乗務員の元へ出向かなければならず、煩わしさがあった。
【０００５】
本発明は上述の課題に鑑み、ゲートから離れた場所に出向くことなく領収書等の証明書を手にすることができる入場管理ゲート機を提供することを目的とする。
【課題を解決するための手段】
【０００６】
上記目的を達成するために、本発明の第１の態様に係る入場管理ゲート機は、例えば図１に示すように、入場する管理対象者Ｍが通過する通路Ｗに沿って設けられる筐体１１と；筐体１１の通路Ｗ側に開閉自在に設けられた扉５１とを備え；筐体１１は、管理対象者Ｍがかざした無線情報記録媒体Ｃに関連づけられた管理対象者Ｍの入場に関する情報を読み書きする入場用読み取り書き込み部１２と、入場用読み取り書き込み部１２で読み取った管理対象者Ｍの入場に関する情報をシートＳに印字して証明書Ｓｃを作成する印字部１３と、証明書Ｓｃについて所定の処理が行われたときに扉５１を開く制御部１６と、を有すると共に、証明書Ｓｃを排出する排出口１１ｄが形成されている。
【０００７】
このように構成すると、ゲートで認証を受ける際に証明書を受領することが可能になり、別の場所に出向くことなく迅速に証明書を手にすることが可能になる。
【０００８】
また、本発明の第２の態様に係る入場管理ゲート機は、例えば図１に示すように、上記本発明の第１の態様に係る入場管理ゲート機１０において、筐体１１は、証明書Ｓｃが排出口１１ｄから抜き取られたことを検知する入場側抜き取り検知部１４を有し；制御部１６は、所定の処理として証明書Ｓｃが抜き取られたことを入場側抜き取り検知部１４が検知したときに、扉５１を開くように構成されている。
【０００９】
このように構成すると、管理対象者に確実に証明書を抜き取らせることができる。
【００１０】
また、本発明の第３の態様に係る入場管理ゲート機は、例えば図３に示すように、上記本発明の第１の態様又は第２の態様に係る入場管理ゲート機において、筐体２１は、証明書Ｓｃの発行の要否を選択可能な発券選択部２５を有し；制御部２６は、所定の処理として発券選択部２５から証明書Ｓｃの発行の要否が通知されたときに、扉５１を開くように構成されている。
【００１１】
このように構成すると、証明書の不要な管理対象者には証明書の発行を行わないことができ、証明書が捨てられて入場管理ゲート機まわりに証明書が散乱することを抑制することができる。
【００１２】
また、本発明の第４の態様に係る入場管理ゲート機は、例えば図１を参照して示すと、上記本発明の第１の態様乃至第３の態様のいずれか１つの態様に係る入場管理ゲート機１０において、制御部１６は、前の管理対象者Ｍが証明書Ｓｃを抜き取った後、シートＳにあらかじめ決められた項目を印字し、後の管理対象者Ｍの入場を待機するように印字部１３を制御する。
【００１３】
このように構成すると、証明書の発行に要する時間を短縮することができる。
【００１４】
また、本発明の第５の態様に係る入場管理ゲート機は、例えば図１に示すように、上記本発明の第１の態様乃至第４の態様のいずれか１つの態様に係る入場管理ゲート機１０において、筐体１１は、入場用読み取り書き込み部１２に無線情報記録媒体Ｃをかざすと、管理対象者Ｍに操作に関する案内を知らせる案内部１８を有する。
【００１５】
このように構成すると、管理対象者に適切なタイミングで操作させることができる。
【００１６】
また、本発明の第６の態様に係る入場管理ゲート機は、例えば図４に示すように、上記本発明の第１の態様乃至第５の態様のいずれか１つの態様に係る入場管理ゲート機において、筐体１１１は、退場側に、無線情報記録媒体Ｃをかざすと退場を認証する退場用読み取り書き込み部１１２と、退場用読み取り書き込み部１１２が退場を認証した後に、扉５３を開く退場側制御部１１６とを有する。
【００１７】
このように構成すると、退場時の管理も行うことができる。
【００１８】
また、本発明の第７の態様に係る入場管理ゲート機は、例えば図４に示すように、上記本発明の第６の態様に係る入場管理ゲート機において、筐体１１１は、退場側に、証明書を発行して筐体１１１外に排出する退場側排出口１１１ｄが形成されると共に、退場側排出口１１１ｄから排出される証明書の抜き取りを検知する退場側抜き取り検知部を有し；退場側制御部１１６が、退場側抜き取り検知部で証明書の抜き取りを検知したことにより、扉５３を開くように構成されている。
【００１９】
このように構成すると、退場時にゲートで認証を受ける管理対象者に確実に証明書を抜き取らせることができる。
【発明の効果】
【００２０】
本発明によれば、ゲートで認証を受ける際に証明書を受領することが可能になり、別の場所に出向くことなく迅速に証明書を手にすることが可能になる。
【図面の簡単な説明】
【００２１】
【図１】本発明の第１の実施の形態に係る入場管理ゲート機を説明する図である。（ａ）は斜視図、（ｂ）は側面図、（ｃ）は部分拡大側面図である。
【図２】本発明の第１の実施の形態に係る入場管理ゲート機の動作のフローチャートである。
【図３】本発明の第２の実施の形態に係る入場管理ゲート機を説明する図である。（ａ）は斜視図、（ｂ）は側面図である。
【図４】本発明の第３の実施の形態に係る入退場管理ゲートの斜視図である。
【発明を実施するための形態】
【００２２】
以下、図面を参照して本発明の実施の形態について説明する。なお、各図において互いに同一又は相当する部材には同一あるいは類似の符号を付し、重複した説明は省略する。
【００２３】
まず図１を参照して、本発明の第１の実施の形態に係る入場管理ゲート機１０を説明する。図１は、入場管理ゲート機１０を説明する図であり、（ａ）は斜視図、（ｂ）は側面図、（ｃ）は（ｂ）における１Ｃ部分の拡大側面図である。入場管理ゲート機１０（以下、単に「ゲート機１０」という。）は、典型的には、鉄道の駅の自動改札機として用いられるものである。ゲート機１０は、管理対象者としての通行者Ｍが所持している無線情報記録媒体としての非接触型ＩＣカードＣ（以下、単に「カードＣ」という。）を介してアクセス可能な情報に基づいて通過の許否を示すゲートである。ゲート機１０は、通行者Ｍの通路Ｗを形成する筐体１１と、通路Ｗをふさぐ扉５１とを備えている。また、本実施の形態では、筐体１１と協働して通路Ｗを形成する筐体８１が設けられている。換言すれば、床上に設置された筐体１１と筐体８１との間に通路Ｗが形成されている。
【００２４】
筐体１１は、側面視が略正方形で正面視が縦に細長い直方体状の筐体本体１１Ｍと、筐体本体１１Ｍの正面側に取り付けられた入口付属部１１ｅと、筐体本体１１Ｍの上端に取り付けられた上部付属部１１ｘとを含んで構成されている。筐体本体１１Ｍは、高さが、我が国の標準的な成人の腰上と同程度に形成されている。筐体本体１１Ｍは、上方から下方に向かって、本体上部１１ａ、開口部１１ｈ、本体下部１１ｂが形成されている。本体下部１１ｂは、筐体本体１１Ｍの高さの概ね１／２の高さになっている。開口部１１ｈは、筐体本体１１Ｍの高さの概ね１／３の高さになっている。このように構成されていることにより、床からの開口部１１ｈの高さは、概ね我が国の標準的な成人の大腿四頭筋〜腰程度の高さに位置することとなる。入口付属部１１ｅの裏側の筐体本体１１Ｍの立面には、本体上部１１ａ、開口部１１ｈ、本体下部１１ｂを固定するつなぎ部材１１ｊが取り付けられている。筐体本体１１Ｍの下端には、底部１１ｙが設けられている。筐体本体１１Ｍは、底部１１ｙを介して床に取り付けられている。
【００２５】
入口付属部１１ｅは、カードＣに記録された情報の読み書きが可能な入場用読み取り書き込み部を構成するＩＣカードリーダライタ１２（以下、単に「リーダライタ１２」という。）を収容する部分である。入口付属部１１ｅは、正面視の幅が、筐体本体１１Ｍの幅と同じ長さに形成されている。入口付属部１１ｅの側面形状は、カードＣより一回り大きい天板が、筐体本体１１Ｍに対してやや先下りに形成され、天板の先端から鉛直下方に少し延びた後、底部１１ｙまで斜めに延びた台形状に形成されている。リーダライタ１２は、カードＣに対して無線通信を行うアンテナが入口付属部１１ｅの天板に現れるようにして、入口付属部１１ｅに収容されている。
【００２６】
上部付属部１１ｘは、入口付属部１１ｅ側に設けられた近付属部１１ｐと、つなぎ部材１１ｊ側に設けられた遠付属部１１ｑと、近付属部１１ｐと遠付属部１１ｑとの間に設けられた中付属部１１ｒとから構成されている。上部付属部１１ｘを構成する各部は、特有の機能を持つ部材（モジュール）に交換可能に構成されている。ゲート機１０では、遠付属部１１ｑ内は中空に形成されているが、近付属部１１ｐには印字部を構成する印字装置１３が収容されている。また、近付属部１１ｐの天板には、印字装置１３において所定の情報がシートＳに印字された証明書Ｓｃとしての領収書Ｓｒを排出する排出口１１ｄが形成されている。シートＳは、典型的には紙であるが、印字が可能であればプラスチックや布等であってもよい。
【００２７】
印字装置１３は、本実施の形態では、紙のシートＳへの印字に適している感熱印字プリンタが用いられているが、シートＳの材質に応じて好適なものを用いることができる。印字装置１３は、（１）利用年月日、（２）利用されたカードＣのＩＤ番号、（３）差し引いた利用料金の額、（４）利用料金が差し引かれた後の残高、（５）利用機関名、をシートＳに印字することができるように構成されている。また、印字装置１３は、本実施の形態では、印字される前のロール状に巻かれたシートＳを装着可能に構成されているが、近付属部１１ｐから離れた場所に保持されているシートＳを受け入れて印字するように構成されていてもよい。また、印字装置１３は、上記（１）〜（５）の所定の事項を印字したシートＳを切断するカッター（不図示）と、シートＳが切断されて１単位の小片となった領収書Ｓｒを通行者Ｍに抜き取られるまで把持する把持部材（不図示）とを有している。
【００２８】
近付属部１１ｐには、領収書Ｓｒが通行者Ｍに抜き取られたか否かを検知する入場側抜き取り検知部としての抜き取りセンサ１４が設けられている。抜き取りセンサ１４は、近付属部１１ｐの天板に形成された排出口１１ｄと印字装置１３との間に配設されている。抜き取りセンサ１４は、光線束を発光する発光器１４ａと、発光器１４ａから発光された光線束を受光する受光器１４ｂとを有している。抜き取りセンサ１４は、領収書Ｓｒを印字装置１３から排出口１１ｄに導く排出流路１１ｗを挟んで、一方に発光器１４ａが設けられ、他方に受光器１４ｂが設けられている。抜き取りセンサ１４は、領収書Ｓｒが排出流路１１ｗにあるときは発光器１４ａから発光された光線束が領収書Ｓｒに遮られて受光器１４ｂが光線束を受光しない。他方、領収書Ｓｒが抜き取られて排出流路１１ｗからなくなったときに領収書Ｓｒに遮られていた発光器１４ａからの光線束が受光器１４ｂに到達する。抜き取りセンサ１４は、受光器１４ｂが発光器１４ａからの光線束を受光することにより、領収書Ｓｒが抜き取られたことを検知するように構成されている。
【００２９】
中付属部１１ｒには、通行者Ｍに対して、ゲート機１０の状態を知らせる表示ランプ１８ａと、操作に関する案内を知らせる音声装置１８ｂとを含む案内部１８が設けられている。表示ランプ１８ａは、青色、赤色等の複数色で点灯又は点滅を行うことで、ゲート機１０の異常や、ゲート機１０の利用が可能な状態にあるか、利用者の通過の許可状況（許可されたか否か）を伝えることができるように構成されている。表示ランプ１８ａは、ＬＥＤで発光した光が半透明のカバー（白色アクリル板）を透過して通行者Ｍに視認される構成となっている。ＬＥＤは、一つで複数色の発光が可能なものが用いられている。音声装置１８ｂは、ゲート機１０の状況に応じて案内音声を発声する発声装置１８ｂｐと、発声装置１８ｂｐで発せられた音を外部に出力するスピーカー１８ｂｓとを有している。音声装置１８ｂは、例えば、「領収書を抜き取って下さい」等、あらかじめ記憶された文のうちから状況に応じた適切な音声を発するように構成されている。
【００３０】
扉５１は、回動軸５１ａを介して筐体本体１１Ｍに取り付けられている。回動軸５１ａは、棒状の部材で構成され、筐体本体１１Ｍの側面視で幅方向中央に位置し、鉛直に延びた棒状の部材の両端が本体上部１１ａ及び本体下部１１ｂにそれぞれ枢支されている。扉５１は、直角三角形の斜辺がやや窪んだ板状に形成され、直交する辺の一方が上側に来るようにして、直交する辺の他方が回動軸５１ａに対して沿うように取り付けられている。扉５１の、回動軸５１ａに直交する辺（以下「水平辺」という場合もある。）の長さは、通路Ｗの幅よりも短く、通路Ｗの幅の半分以上で好ましくは２／３以上に形成されている。側面視における筐体本体１１Ｍの幅は、扉５１の水平辺の長さの２倍以上に形成されており、回動軸５１ａまわりに回動する扉５１を開口部１１ｈ内に収容できるように構成されている。扉５１は、典型的には発泡ポリエチレンで形成されている。発泡ポリエンチレンは、比較的加工が容易な材料であるので、この材料を使用して扉５１を製作すると、比較的容易に硬さを設定することができる。つまり、使用の状況に応じて、扉５１を柔らかく製作して通行者Ｍへの開閉に伴う影響を抑えたものとしたり、又は扉５１を硬く製作して不法侵入効果を向上させたものとするなど、容易に硬さの程度を選択することができる。扉５１の製作においては、一定の厚みの素材を圧縮して成型し、この圧縮の量により硬さを調整することができる。
【００３１】
扉５１は、駆動装置５１ｄによって回動軸５１ａを介して回動させられるように構成されている。駆動装置５１ｄは、回動軸５１ａに連結されており、扉５１が、回動軸５１ａよりも入口付属部１１ｅ側の開口部１１ｈに収容された位置と、回動軸５１ａよりもつなぎ部材１１ｊ側の開口部１１ｈに収容された位置との間を、通路Ｗの上方を通過して往復移動するように、回動軸５１ａを動かすことができる。駆動装置５１ｄは、典型的にはパルスモータが用いられている。駆動装置５１ｄは、回動軸５１ａの鉛直下方で本体下部１１ｂに収容されている。
【００３２】
また、本体下部１１ｂには、制御部を構成する制御装置１６が収容されている。制御装置１６は、扉５１の開閉や発声装置１８ｂｐからの発声等、ゲート機１０の動作を制御する装置である。制御装置１６は、リーダライタ１２と信号ケーブルで接続されており、リーダライタ１２がカードＣから読み取った情報及びカードＣに書き込む情報に関するデータを、リーダライタ１２との間で相互に通信できるように構成されている。また、制御装置１６は、印字装置１３と信号ケーブルで接続されており、シートＳに印字する情報のデータを印字装置１３に送信することができるように構成されている。また、制御装置１６は、抜き取りセンサ１４と信号ケーブルで接続されており、領収書Ｓｒが排出口１１ｄから抜き取られたか否かに関する抜き取りセンサ１４が検知した結果を、抜き取りセンサ１４から受信することができるように構成されている。また、制御装置１６は、案内部１８と信号ケーブルで接続されており、表示ランプ１８ａの点灯・点滅や発声装置１８ｂｐからの発声を制御することができるように構成されている。また、制御装置１６は、駆動装置５１ｄと信号ケーブルで接続されており、回動軸５１ａを介した扉５１の開閉を制御することができるように構成されている。
【００３３】
筐体８１は、筐体１１と外観が同様に構成されているが、以下の点が異なっている。すなわち、筐体８１は、筐体１１と比較して、入口付属部１１ｅの代わりにつなぎ部材１１ｊに相当する部材が設けられており、さらに、上部付属部１１ｘ内に設けられていた印字装置１３、抜き取りセンサ１４、案内部１８が設けられていない点が異なっている。筐体８１の、上記以外の構成は筐体１１の構成と同様であり、筐体８１を構成する筐体本体８１Ｍは、筐体本体１１Ｍと同様に本体上部８１ａ、開口部８１ｈ、本体下部８１ｂ（それぞれ筐体本体１１Ｍの本体上部１１ａ、開口部１１ｈ、本体下部１１ｂに相当）を有している。また、筐体８１は、筐体１１の制御装置１６に相当する制御装置８６及び駆動装置５１ｄに相当する駆動装置５３ｄを有している。
【００３４】
筐体８１には、筐体１１に取り付けられていた扉５１に相当する扉５３が取り付けられている。扉５３は、扉５１と同じ形状及び材質で構成されており、扉５１と同様に回動軸５３ａを介して筐体８１に取り付けられているが、扉５１とは取り付けられる向きが異なっている。つまり、扉５３は、直角三角形の斜辺がやや窪んだ板状に形成され、直交する辺の一方が下側に来るようにして、直交する辺の他方が回動軸５３ａに対して沿うように取り付けられている。回動軸５３ａは、駆動装置５３ｄに接続されている。制御装置８６は、駆動装置５３ｄと信号ケーブルで接続されており、回動軸５３ａを介した扉５３の開閉を制御することができるように構成されている。
【００３５】
筐体１１及び筐体８１には、通路Ｗを通る通行者Ｍを検知するセンサ装置１７、８７が設けられている。センサ装置１７は筐体本体１１Ｍの本体上部１１ａ及び本体下部１１ｂに設けられ、センサ装置８７は図１では一部図示を省略しているがセンサ装置１７に対応して筐体本体８１Ｍの本体上部８１ａ及び本体下部８１ｂに設けられており、上部同士の一対及び下部同士の一対がそれぞれ協働してセンサの機能を発揮するように構成されている。本実施の形態では、センサ装置１７が光線束を発光する発光器となっており、センサ装置８７がセンサ装置１７から発光された光線束を受光する受光器となっている。センサ装置１７、８７は、側面視における筐体本体１１Ｍ、８１Ｍの幅方向に沿って複数が設けられている。センサ装置１７、８７は、センサ装置１７から発光された光線束が通行者Ｍに遮られたことをもって、通行者Ｍが存在することを検知するように構成されている。本実施の形態では、本体下部１１ｂ、８１ｂにもセンサ装置１７、８７が設けられているので、本体上部１１ａ、８１ａに設置されたセンサ装置１７、８７の高さまでの身長がない幼児の存在も検知することができる。
【００３６】
センサ装置１７は、制御装置１６と信号ケーブルで接続されている。センサ装置８７は、制御装置８６と信号ケーブルで接続されている。制御装置８６は、センサ装置８７から光線束を受光したか否かの検知結果を受信することができるように構成されている。また、制御装置１６と制御装置８６とは、信号ケーブルで接続されており、相互にデータの授受をすることができるように構成されている。これにより、扉５１及び扉５３の開閉動作を同期させることができるように構成されている。また、制御装置１６及び制御装置８６は、ゲート機１０から離れた場所に設置されているホストコンピュータ（不図示）と通信ケーブルで接続されており、リーダライタ１２で読み書きされる情報をホストコンピュータ（不図示）で管理できるように構成されている。本実施の形態では、カードＣに関連づけられた通行者Ｍに関するデータがホストコンピュータ（不図示）に記憶されており、ゲート通過の可否に関する通行者Ｍの認証をホストコンピュータ（不図示）が行って結果が制御装置１６に送られる構成であるが、制御装置１６が通行者Ｍの認証を行うように構成されていてもよい。
【００３７】
次に図２のフローチャートを参照して、ゲート機１０の作用を説明する。以下の説明においてゲート機１０の構成に言及しているときは、適宜図１を参照することとする。また、扉５１の動作について説明したときは、特に言及していなくても筐体８１に取り付けられている扉５３も扉５１に同期して同じ方向に動作する（進行方向に開く）こととする。ゲート機１０は、通行者Ｍが通路Ｗに進入してくるまで、扉５１を閉じた状態（通路Ｗを遮った状態）で待機する（Ｓｔ１）。ゲート機１０は、待機中、制御装置１６がセンサ装置１７、８７からの信号を随時受信することにより通行者Ｍの有無を判断している（Ｓｔ２）。通行者Ｍがいないときは、引き続き待機する（Ｓｔ１）。
【００３８】
他方、通行者Ｍの有無を判断する工程（Ｓｔ２）において通行者Ｍを検知したときは、制御装置１６はリーダライタ１２がカードＣの情報を読み取ったか否か、すなわちカードＣを認識したか否かを判断する（Ｓｔ３）。カードＣを認識していないときは、所定時間が経過したか否かを判断する（Ｓｔ４）。ここでの所定時間は、リーダライタ１２にカードＣをかざすよう通行者Ｍへ通知するまで待つのに適した時間である。所定時間が経過していないときは、この間に通行者Ｍがゲート機１０から退避して行く場合を考慮して、通行者Ｍの有無を判断する工程（Ｓｔ２）に戻る。他方、所定時間が経過したか否かを判断する工程（Ｓｔ４）において所定時間が経過したときは、制御装置１６は、発声装置１８ｂｐから「カードをかざして下さい」と発声させて動作を案内し（Ｓｔ５）、通行者Ｍの有無を判断する工程（Ｓｔ２）に戻る。
【００３９】
カードＣを認識したか否かを判断する工程（Ｓｔ３）において、カードＣを認識したときは、通行者Ｍが入場許可された者か否かを判断する（Ｓｔ６）。ここで、通行者Ｍが入場許可された者か否かの照合は、典型的には、制御装置１６と通信ケーブルで接続されたホストコンピュータ（不図示）に記録されているデータに基づいてホストコンピュータ（不図示）で行われ、制御装置１６は照合結果を受信して照合結果に基づいたゲート機１０の制御を行う。入場許可された者か否かを判断する工程（Ｓｔ６）において、入場許可された者でない場合、制御装置１６は、表示ランプ１８ａを作動（例えば赤色で点灯又は点滅）させ、通行者Ｍに認証されなかったことを知らせ（Ｓｔ７）、その後通行者Ｍの有無を判断する工程（Ｓｔ２）に戻る。
【００４０】
他方、入場許可された者か否かを判断する工程（Ｓｔ６）において、入場許可された者である場合、ホストコンピュータ（不図示）は、通行者Ｍの入場を認証すると共に入場時に要する料金に相当する金額を残金から引き去って当該情報を制御装置１６に送信する。ホストコンピュータ（不図示）から信号を受信した制御装置１６は、印字装置１３に信号を送信し、前述した所定の事項を印字装置１３でシートＳに印字して領収書Ｓｒを作成する（Ｓｔ８）。なお、印字装置１３がシートＳに印字する事項は、前述の（１）〜（５）のうちの１又は任意の複数の項目であってもよい。また、印字された領収書Ｓｒには、領収金額のみが印字されることとしてもよい。領収金額のみが印字される場合も、カードＣから読み取った情報に基づいて領収可能であること（残金が不足しないこと）を確認したうえで印字されているので、リーダライタ１２で読み取った情報が印字されたこととなる。印字装置１３は、領収書Ｓｒを作成したら、領収書Ｓｒの一部を排出口１１ｄから突出させた状態で把持部材（不図示）により領収書Ｓｒを把持して抜き取られるのを待機する。制御装置１６は、抜き取りセンサ１４からの信号を受信して、領収書Ｓｒが抜き取られたか否かを判断する（Ｓｔ９）。領収書Ｓｒが抜き取られていないときは、所定時間が経過したか否かを判断する（Ｓｔ１０）。ここでの所定時間は、通行者Ｍに領収書Ｓｒを抜き取るよう注意喚起するまで待つのに適した時間である。所定時間が経過していないときは、再び領収書Ｓｒが抜き取られたか否かを判断する工程（Ｓｔ９）に戻る。他方、所定時間が経過したときは、制御装置１６は、発声装置１８ｂｐから「領収書を抜き取って下さい」と発声させて動作を案内し（Ｓｔ１１）、再び領収書Ｓｒが抜き取られたか否かを判断する工程（Ｓｔ９）に戻る。
【００４１】
領収書Ｓｒが抜き取られたか否かを判断する工程（Ｓｔ９）において、領収書Ｓｒが抜き取られた（所定の処理が行われた）ときは、制御装置１６は、駆動装置５１ｄを作動させて扉５１を開にする（Ｓｔ１２）。制御装置１６は、扉５１を開にしたら、随時受信しているセンサ装置１７、８７からの信号に基づいて通行者Ｍが通路Ｗを通過したか否かを判断する（Ｓｔ１３）。通行者Ｍの通過が完了していない場合、制御装置１６は扉５１が開の状態を維持して引き続き通行者Ｍが通路Ｗを通過したか否かを判断する（Ｓｔ１３）。他方、通行者Ｍの通過が完了した場合、制御装置１６は、扉５１を閉じ（Ｓｔ１４）、待機する工程（Ｓｔ１）に戻る。以下、上述のフローを繰り返す。なお、上述のフローにおいて、一旦認証された後は、その認証された通行者Ｍがゲートからいなくなるまで（通行者Ｍがゲートの内側又は外側から出てセンサ装置１７、８７が通行者Ｍを検知しなくなるまで）次の通行者ＭのカードＣの情報の読み取りを受け付けないようになっている。
【００４２】
以上で説明したように、本実施の形態に係るゲート機１０では、ゲートを通過する際に領収書Ｓｒを受け取ることができるので、領収書Ｓｒを受け取るために別の場所に出向かなくて済み、精算機に出向く場合に比べて領収書Ｓｒを受け取るまでの時間を短縮することができる。また、通行者Ｍが領収書Ｓｒを抜き取ることをトリガーとして扉５１を開けるので、通行者Ｍに確実に領収書Ｓｒを受け取ってもらうことができる。
【００４３】
次に図３を参照して、本発明の第２の実施の形態に係る入場管理ゲート機２０を説明する。図３は、入場管理ゲート機２０を説明する図であり、（ａ）は斜視図、（ｂ）は側面図である。入場管理ゲート機２０（以下、単に「ゲート機２０」という。）は、本実施の形態では、遊戯施設や展示場などの入場管理ゲートとして用いられるものとして説明する。ゲート機２０は、ゲート機１０（図１参照）と比較して、構成が類似しているが以下の点が異なっている。すなわちゲート機２０では、上部付属部２１ｘの近付属部２１ｐに証明書Ｓｃとしての記念券Ｓｔの要否を選択する発券選択部としての選択ボタン２５が設けられ、記念券Ｓｔを排出する排出口２１ｄが遠付属部２１ｑの天板に形成され、印字部としての印字装置２３が遠付属部２１ｑに収容され、印字される前のロール状に巻かれたシートＳが印字装置２３ではなく筐体本体１１Ｍの本体下部１１ｂに収容され、入口付属部１１ｅの裏側の筐体本体１１Ｍの立面に取り付けられたつなぎ部材２１ｊに、本体下部１１ｂに収容されたシートＳを遠付属部２１ｑに収容された印字装置２３に導く搬送路が形成されている点が異なっている。
【００４４】
遠付属部２１ｑには、排出口２１ｄと印字装置２３との間に、ゲート機１０（図１参照）の排出流路１１ｗ（図１参照）に相当する排出流路（不図示）が形成されていると共に、抜き取りセンサ１４（図１参照）に相当する抜き取りセンサ（不図示）が設けられている。印字装置２３は、利用年月日をシートＳに印字することができるように構成されている。本実施の形態では、あらかじめ利用施設の特徴的な風景やキャラクター（以下「特有マーク」という。）が連続印刷されたシートＳが用いられているが、印字装置２３が特有マークをシートＳに印字することができるように構成されていてもよい。
【００４５】
選択ボタン２５は、典型的には押しボタンであり、本体下部１１ｂに収容された制御装置２６と信号ケーブルで接続されている。制御装置２６は、選択ボタン２５と関係する点を除き、制御装置１６（図１参照）と同様に構成されている。選択ボタン２５に隣接した近付属部２１ｐの天板には、記念券Ｓｔの要否を選択ボタン２５の押下によって選択されたい旨を表示する表示部（不図示）が設けられている。制御装置２６は、選択ボタン２５から記念券Ｓｔが必要である旨の信号又は不要である旨の信号を受信した（所定の処理が行われた）ときに、扉５１を開にするように構成されている。制御装置２６は、記念券Ｓｔが必要である旨の信号を受信したら、印字装置２３に信号を送信してシートＳへの所定の事項の印字を開始させるように構成されている。このとき、排出口２１ｄが遠付属部２１ｑに形成されているので、通行者Ｍが選択ボタン２５を押してから排出口２１ｄに到達するまでにいくらかの時間がかかるため、この間にシートＳへの印字を完了させることとすれば、記念券Ｓｔの発行のために通行者Ｍを待たせることがなく、通行者Ｍをストレスフリーにすることができる。また、制御装置２６は、通行者Ｍの認証の際に、入場時に要する料金に相当する金額を残金から引き去ることのほか、通行者ＭがかざしたカードＣに、事前に購入（配布）済みの１日利用や期間利用が許可された情報が関連づけられている場合に、金額を引き去ることなく入場の認証を行うように構成されている。ゲート機２０の、上記以外の構成は、ゲート機１０（図１参照）の構成と同様である。なお、ゲート機２０においても、ゲート機１０（図１参照）と同様、扉５３が取り付けられた筐体８１と協働して通路Ｗが形成されており、扉５１と扉５３とが同期して同じ方向に動作する（進行方向に開く）こととする。
【００４６】
上述のように構成されたゲート機２０は、概ねゲート機１０（図１参照）と同様に作用するが、扉５１が開く条件として、証明書Ｓｃ（記念券Ｓｔ）を抜き取ることに代えて、選択ボタン２５を押すことが求められている。つまり、上述のように、選択ボタン２５が押されたときに扉５１が開くこととなる。したがって、ゲート機２０では、記念券Ｓｔが不要な通行者Ｍに対して記念券Ｓｔを抜き取らせることを強要させることがなく、ひいては無理やり取らされた記念券Ｓｔが投げ捨てられることによってゲート機２０まわりに記念券Ｓｔが散乱することを抑制することができる。
【００４７】
なお、以上のゲート機２０の説明では、選択ボタン２５が、記念券Ｓｔを発行するボタンと発行しないボタンのそれぞれが設けられた２ボタン式であるとしたが、記念券Ｓｔが必要な場合に押下する１ボタン式の構成としてもよく、逆に記念券Ｓｔが不要な場合に押下する１ボタン式の構成としてもよい。これらの１ボタン式の場合も、例えば記念券Ｓｔが必要な場合にボタンを押す構成ではボタンを押さないことが記念券Ｓｔが不要であることを黙示的に意思表示していることになるから、記念券Ｓｔの発行の要否を選択していることとなる。また、例えばゲート機２０の変形例として、選択ボタン２５を記念券Ｓｔが不要なときに押下する１ボタン式の構成とし、排出口２１ｄを遠付属部２１ｑに代えて近付属部２１ｐの天板に形成した場合は、選択ボタン２５が押されたとき及び記念券Ｓｔが抜き取られたときのどちらか一方が行われたときに扉５１を開くこととしてもよい。また、発券選択部は、選択ボタン２５等の押しボタン以外に、タッチパネル等で構成されていてもよい。
【００４８】
次に図４を参照して、本発明の第３の実施の形態に係る入退場管理ゲートを説明する。図４は、入退場管理ゲートの斜視図である。入退場管理ゲートは、ゲート機１０と、退場を管理する退場管理ゲート機１１０（以下、単に「ゲート機１１０」という。）とを含んでいる。ゲート機１１０は、本実施の形態では、図１に示されたゲート機１０と協働して通路Ｗを形成している。ゲート機１１０は、構成自体はゲート機１０と同様であるが、設置される向きがゲート機１０とは逆になっている。すなわち、ゲート機１０ではゲートの外側にリーダライタ１２が配設された入口付属部１１ｅ設けられているのに対し、ゲート機１１０では、リーダライタ１１２が配設された出口付属部１１１ｅ（ゲート機１０の入口付属部１１ｅに相当）がゲートの内側に設けられている。この相違に伴って、ゲート機１１０では、通路Ｗの長手方向に対して、排出口１１１ｄが形成される位置及びスピーカー１１８ｂｓの設置される位置が、ゲート機１０とは逆になっている。ゲート機１０とゲート機１１０とは、設置される向きが相互に逆になっているが、それぞれに取り付けられている扉５１、５３は、同期して同じ方向に動作する（進行方向に開く）ように構成されている。
【００４９】
上述のように構成されたゲート機１１０では、退場時にも、入場時と同様に、カードＣを介して通行者Ｍに関する情報を読み取って退場管理をすることができると共に、ゲート機１１０を通過する際に証明書Ｓｃを発行することができる。図４に示す構成の場合、入場時の通行者Ｍの認証及び証明書Ｓｃの発行はゲート機１０が行い、退場時の通行者Ｍの認証及び証明書Ｓｃの発行はゲート機１１０が行うこととなる。なお、退場側のゲート機１１０には、排出口１１１ｄを形成せずに、カードＣを介したリーダライタ１１２による認証を行うが証明書Ｓｃは発行しない構成としてもよい。また、退場時の認証用のゲートとして、ゲート機１１０に代えてゲート機２０（図３参照）を用いてもよく、その他、各ゲート機１０、２０（図３参照）、１１０を適宜入場側及び退場側のいずれかに設置して用途に適した組み合わせとして用いることもできる。なお、ゲート機２０（図３参照）は、その変形例も含まれる。これらの入退場管理ゲートは、鉄道の駅の改札や、遊戯施設や展示場などの入退場管理ゲートとして用いることができる。このようにゲート機１１０等の退場管理ゲート機を設けるときは、例えば記念券Ｓｔは退場時に発行するものとすることができる。また、退場時に、証明書Ｓｃを発行せずに、又は証明書Ｓｃの発行と共に、退場した事実をカードＣに（あるいはカードＣを介してホストコンピュータに）記録し、ゲート外のレストラン等を利用した後に再入場を許可するようにすることもできる。
【００５０】
以上の説明では、筐体１１（２１）と筐体８１との間に通路Ｗが形成されているとしたが、筐体８１の代わりに壁面を利用してもよい。特に、入場のみを管理する場合は、筐体８１を設けなくてもよい。もっとも、筐体１１の退場側にもリーダライタ１２を設けることとして、１つの筐体に入場管理と退場管理の機能を集約してもよい。しかしながら、扉５１が取り付けられた筐体１１と、扉５３が取り付けられた筐体８１とが協働して通路Ｗを形成することとすると、扉５１、５３を観音開きにすることができる利点がある。
【００５１】
以上の説明では、センサ装置１７が光線束を発光する発光器となっており、センサ装置８７がセンサ装置１７から発光された光線束を受光する受光器となっているとしてが、発光器と受光器とを逆にして、センサ装置８７が光線束を発光する発光器となっており、センサ装置１７がセンサ装置８７から発光された光線束を受光する受光器となっていてもよい。
【００５２】
以上の説明では、入場許可を認証したときにシートＳに所定の事項を印字することとしたが、利用機関名や特有マーク等のカードＣの相違にかかわらず印字することがあらかじめ決められている事項は、前の通行者Ｍが証明書Ｓｃを抜き取った後で、次の通行者ＭがカードＣをかざす前にシートＳに印字して待機することとしてもよい。このようにすると、証明書Ｓｃの発行に要する時間を短縮することができる。
【符号の説明】
【００５３】
１０、２０  入場管理ゲート機
１１、２１、１１１  筐体
１１ｄ、２１ｄ、１１１ｄ  排出口
１２、１１２  リーダライタ
１３、２３  印字装置
１４  抜き取りセンサ
１６、２６、１１６  制御装置
１８  案内部
２５  選択ボタン
５１、５３  扉
１１０  退場管理ゲート機
Ｃ    ＩＣカード
Ｍ    通行者
Ｓ    シート
Ｓｃ  証明書
Ｗ    通路
【図１】
2012118864.tif 000003
【図２】
2012118864.tif 000004
【図３】
2012118864.tif 000005
【図４】
2012118864.tif 000006